(57)【要約】  ３種類の粒子を有する電気泳動表示パネルを用いた表示装置において、視認者が見易いハッキリとした画像や、画像の作成者の意図した画像で表示する。表示装置は、一対の基板と、その間に配置されるメモリー性を有する表示媒体と、表示媒体に駆動電圧を印加する駆動手段とを備え、表示媒体は、それぞれ第１、第２、第３色の第１、第２、第３粒子を含み、それぞれの色の表示は第１電圧、これと極性の異なる第２電圧、第１電圧と同極性で絶対値の小さい第３電圧を印加することで行われる。第１画像が表示された状態から第２画像に書き換える際に、第２画像を一旦表示させる第１表示ステップと、第１表示ステップの後に、第２画像のうち第１色と第２色の部分の色はそのまま維持し、第３色の部分のみを色変化させた後に再度第３色にする第２表示ステップとを行う。
2018128040.tif 000002
【特許請求の範囲】
【請求項１】
対向する面にそれぞれ電極を有する一対の基板と、
前記一対の基板の間に配置されるメモリー性を有する表示媒体と、
前記表示媒体に駆動電圧を印加する駆動手段とを備え、
前記表示媒体は、内部に帯電粒子が封入され、前記駆動手段によって印加された電圧によって前記帯電粒子が移動することによって表示を行い、
前記帯電粒子は少なくとも３種類の粒子からなり、第１粒子は第１色であり第１電圧を印加することで第１色表示がなされ、第２粒子は第２色であり第１電圧とは極性が異なる第２電圧を印加することで第２色表示がなされ、第３粒子は第３色であり第１電圧と極性が同じで絶対値が第１電圧より小さい第３電圧を印加することで第３色表示がなされ、
第１画像が表示された状態から第２画像に書き換える際に、前記第２画像を一旦表示させる第１表示ステップと、前記第１表示ステップの後に、前記第２画像のうち第１色と第２色の部分の色はそのまま維持し、第３色の部分のみを色変化させた後に再度第３色にする第２表示ステップとを行うことを特徴とする表示装置。
【請求項２】
前記第２表示ステップにおいて、前記第３色の部分は、少なくとも前記第１色または前記第２色を経由してから再度前記第３色に至ることを特徴とする請求項１記載の表示装置。
【請求項３】
前記第１表示ステップにおいて、前記第１色の部分は少なくとも前記第２色を経由してから前記第１色に至り、前記第２色の部分は少なくとも前記第１色を経由してから前記第２色に至り、前記第３色の部分は少なくとも前記第１色または前記第２色を経由してから前記第３色に至ることを特徴とする請求項１または２に記載の表示装置。
【請求項４】
前記第１色は白または黒であり、前記第２色は黒または白のうち前記第１色とは異なる色であり、前記第３色は赤であることを特徴とする請求項１〜３のいずれか１項記載の表示装置。
【請求項５】
前記第２表示ステップ後の前記第３色の部分の色ムラが、前記第１表示ステップ後の前記第３色の部分の色ムラよりも小さいことを特徴とする請求項１〜４のいずれか１項記載の表示装置。
【請求項６】
前記第２表示ステップを複数回繰り返すことを特徴とする請求項１〜５のいずれか１項記載の表示装置。
【請求項７】
前記電極が、第１基板上に形成された画素電極と、第２基板上に形成された対向電極であり、
前記駆動電圧の印加が、前記対向電極に０Ｖを印加し、前記画素電極に前記第１電圧、前記第２電圧、前記第３電圧、または０Ｖを印加することによって行われ、
前記第１表示ステップは、前記画素電極に前記第１電圧、前記第２電圧、前記第３電圧、または０Ｖを印加する複数のサブステップの組合せを含み、
前記第２表示ステップは、前記画素電極に前記第１電圧、前記第２電圧、前記第３電圧、または０Ｖを印加する複数のサブステップの組合せを含むことを特徴とする請求項１〜６のいずれか１項記載の表示装置。
【請求項８】
前記電極が、第１基板上に形成された薄膜トランジスタアレイに接続された画素電極と、第２基板上に形成された対向電極であり、
前記薄膜トランジスタアレイは複数のゲート配線と複数のソース配線の交点付近に形成されており、前記駆動電圧の印加が、前記対向電極に所定の電圧を印加し、前記ソース配線に前記第１電圧、前記第２電圧、前記第３電圧、または０Ｖを印加した状態で前記ゲート配線に選択電圧を印加することで、前記画素電極に前記第１電圧、前記第２電圧、前記第３電圧、または０Ｖを印加することによって行われ、
前記第１表示ステップは、前記画素電極に前記第１電圧、前記第２電圧、前記第３電圧、または０Ｖを印加する複数のサブステップの組合せを含み、
前記第２表示ステップは、前記画素電極に前記第１電圧、前記第２電圧、前記第３電圧、または０Ｖを印加する複数のサブステップの組合せを含むことを特徴とする請求項１〜６のいずれか１項記載の表示装置。
【請求項９】
前記第２表示ステップは、前記第１色の部分に、前記第１電圧を印加するサブステップか、前記第３を印加するサブステップか、前記０Ｖを印加するサブステップを含むことを特徴とする請求項１〜８のいずれか１項記載の表示装置。
【請求項１０】
前記第２表示ステップは、前記第２色の部分に、前記第２電圧を印加するサブステップか、０Ｖを印加するサブステップを含むことを特徴とする請求項１〜９のいずれか１項記載の表示装置。
【請求項１１】
前記第２表示ステップは、前記第３色の部分に、前記第１電圧を印加するサブステップか、前記第２電圧を印加するサブステップか、前記第３電圧を印加するサブステップか、０Ｖを印加するサブステップを含み、少なくとも前記第２電圧を印加するサブステップを有し、前記第３電圧を印加するサブステップで終了するか、あるいは前記第３電圧を印加するサブステップ後に０Ｖを印加するサブステップで終了することを特徴とする請求項１〜１０のいずれか１項記載の表示装置。
【請求項１２】
前記第２表示ステップにおいて、前記第３色の部分に前記第３電圧を印加するサブステップのうち最後のサブステップと、前記第１色の部分に前記第１電圧を印加するサブステップと、前記第２色の部分に第２電圧を印加するサブステップとを、同時に行うことを特徴とする請求項１〜１１のいずれか１項記載の表示装置。
【請求項１３】
前記第１表示ステップにおいて、前記第３色の部分に前記第３電圧を印加するサブステップのうち最後のサブステップと、前記第１色の部分に前記第１電圧を印加するサブステップと、前記第２色の部分に前記第２電圧を印加するサブステップとを、同時に行うことを特徴とする請求項１〜１２のいずれか１項記載の表示装置。
【請求項１４】
対向する面にそれぞれ電極を有する一対の基板と、
前記一対の基板の間に配置されるメモリー性を有する表示媒体と、
前記表示媒体に駆動電圧を印加する駆動手段とを備え、
前記表示媒体は、内部に帯電粒子が封入され、前記駆動手段によって印加された電圧によって前記帯電粒子が移動することによって表示を行い、
前記帯電粒子は少なくとも３種類の粒子からなり、第１粒子は第１色であり第１電圧を印加することで第１色表示がなされ、第２粒子は第２色であり第１電圧とは極性が異なる第２電圧を印加することで第２色表示がなされ、第３粒子は第３色であり第１電圧と極性が同じで絶対値が第１電圧より小さい第３電圧を印加することで第３色表示がなされる表示装置の駆動方法であって、
第１画像が表示された状態から第２画像に書き換える際に、
前記第２画像を一旦表示させる第１表示ステップと、
前記第１表示ステップの後に、前記第２画像のうち第１色と第２色の部分の色はそのまま維持し、第３色の部分のみを色変化させた後に再度第３色にする第２表示ステップとを含む駆動方法。
【発明の詳細な説明】
【技術分野】
【０００１】
本発明は、帯電粒子の移動によって表示を行うメモリー性を有する表示パネルを備えた低消費電力の表示装置及び駆動方法に関する。
【背景技術】
【０００２】
従来から薄型の表示装置としては、液晶表示装置が各種の電子機器に広く使用されており、近年ではコンピュータやテレビジョン等の大型カラーディスプレイとしても使用されるようになっている。また、テレビジョンの大型カラーディスプレイとしては、プラズマディスプレイも使用されている。しかし、液晶表示装置やプラズマディスプレイはＣＲＴ表示装置に比べれば格段に薄型になったとはいえ、まだ用途によっては充分に薄くはないし、曲げることは出来ない。また、携帯機器のディスプレイとして使用する場合には消費電力の更なる低減が望まれている。【０００３】
そこで、更なる薄型化と低消費電力化を実現する表示装置として、電気泳動表示素子を用いた電子ペーパーとも称される表示パネルが開発され、電子ブックや電子新聞、電子広告看板や案内表示板などへの利用が試みられている。この電気泳動表示素子（ＥＰＤ：Ｅｌｅｃｔｒｏ  Ｐｈｏｒｅｔｉｃ  Ｄｉｓｐｌａｙ）を用いた表示パネル（表示装置）は、対向する面にそれぞれ電極を有する一対の基板間に帯電粒子が封入された画像表示層を設け、その一対の基板の電極間に印加される電圧の極性に応じて帯電粒子が電気泳動により移動して表示を行う様に構成されている。【０００４】
この電気泳動表示パネルは、電極間に印加される駆動電圧を取り去っても、帯電粒子が移動しないのでメモリー性を有しており、駆動電力がゼロでも表示状態を保つことが出来る。この電気泳動表示パネルは、極めて僅かな電力で駆動することが出来るので、低消費電力を必要とする腕時計や携帯電話などの携帯機器用表示装置として今後有望である。【０００５】
一方で、電気泳動表示パネルにおいても、近年カラー化の要求が強くなっている。カラー化を実現するためには、カラーフィルターが用いられることが多い。カラーフィルターの場合、例えば、赤、緑、青、白（カラーフィルターなし）の画素で構成された場合、各色の面積はカラーフィルターが無い場合に比べて１／４になってしまう。このような課題に対して以下の様な対策が行われている。【０００６】
特許文献１では、３種類の電気泳動粒子を用いた表示装置およびその駆動方法が記載されている。第１タイプの粒子が黒、第２タイプの粒子が白、第３タイプの粒子は赤、緑、青、シアン、マゼンダ、イエローからなる群から選択される色との記載がある。このタイプの表示装置の場合、白、黒ともう一色からなる表示が可能となる。特許文献１の表示装置を用いた場合、フルカラーではないが、１色の挿し色の入った表示を行うことが可能となる。２色刷りの広告と同じような訴求効果が得られ、観察者の注目を集めることが可能となる。ただし、特許文献１では、上記３種類の粒子の基本的な駆動方法の記載しか無い為、表示性能を向上させる駆動方法が望まれている。
【先行技術文献】
【特許文献】
【０００７】
【特許文献１】特表２０１５−５３２４６１号公報
【発明の概要】
【発明が解決しようとする課題】
【０００８】
本発明は、以上のような問題点に鑑みてなされたものであり、本発明のいくつかの態様によれば、少なくとも３種類の粒子を有する電気泳動表示装置を、視認者が見易いハッキリとした画像や、画像の作成者の意図した画像で表示することが可能となる電気泳動表示装置、及び電気泳動表示パネルの駆動方法を提供することができる。
【課題を解決するための手段】
【０００９】
上記問題を解決するため、本発明の一局面は、対向する面にそれぞれ電極を有する一対の基板と、一対の基板の間に配置されるメモリー性を有する表示媒体と、表示媒体に駆動電圧を印加する駆動手段とを備え、表示媒体は、内部に帯電粒子が封入され、駆動手段によって印加された電圧によって帯電粒子が移動することによって表示を行い帯電粒子は少なくとも３種類の粒子からなり、第１粒子は第１色であり第１電圧を印加することで第１色表示がなされ、第２粒子は第２色であり第１電圧とは極性が異なる第２電圧を印加することで第２色表示がなされ、第３粒子は第３色であり第１電圧と極性が同じで絶対値が第１電圧より小さい第３電圧を印加することで第３色表示がなされ、第１画像が表示された状態から第２画像に書き換える際に、第２画像を一旦表示させる第１表示ステップと、第１表示ステップの後に、第２画像のうち第１色と第２色の部分の色はそのまま維持し、第３色の部分のみを色変化させた後に再度第３色にする第２表示ステップとを行うことを特徴とする表示装置である。【００１０】
また、第２表示ステップにおいて、第３色の部分は、少なくとも第１色または第２色を経由してから再度第３色に至ってもよい。【００１１】
また、第１表示ステップにおいて、第１色の部分は少なくとも第２色を経由してから第１色に至り、第２色の部分は少なくとも第１色を経由してから第２色に至り、第３色の部分は少なくとも第１色または第２色を経由してから第３色に至ってもよい。【００１２】
また、第１色は白または黒であり、第２色は黒または白のうち第１色とは異なる色であり、第３色は赤であってもよい。【００１３】
また、第２表示ステップ後の第３色の部分の色ムラが、第１表示ステップ後の第３色の部分の色ムラよりも小さくてもよい。【００１４】
また、第２表示ステップを複数回繰り返してもよい。【００１５】
また、電極が、第１基板上に形成された画素電極と、第２基板上に形成された対向電極であり、駆動電圧の印加が、対向電極に０Ｖを印加し、画素電極に第１電圧、第２電圧、第３電圧、または０Ｖを印加することによって行われ、第１表示ステップは、画素電極に第１電圧、第２電圧、第３電圧、または０Ｖを印加する複数のサブステップの組合せを含み、第２表示ステップは、画素電極に第１電圧、第２電圧、第３電圧、または０Ｖを印加する複数のサブステップの組合せを含んでもよい。【００１６】
また、電極が、第１基板上に形成された薄膜トランジスタアレイに接続された画素電極と、第２基板上に形成された対向電極であり、薄膜トランジスタアレイは複数のゲート配線と複数のソース配線の交点付近に形成されており、駆動電圧の印加が、対向電極に所定の電圧を印加し、ソース配線に第１電圧、第２電圧、第３電圧、または０Ｖを印加した状態でゲート配線に選択電圧を印加することで、画素電極に第１電圧、第２電圧、第３電圧、または０Ｖを印加することによって行われ、第１表示ステップは、画素電極に第１電圧、第２電圧、第３電圧、または０Ｖを印加する複数のサブステップの組合せを含み、第２表示ステップは、画素電極に第１電圧、第２電圧、第３電圧、または０Ｖを印加する複数のサブステップの組合せを含んでもよい。【００１７】
また、第２表示ステップは、第１色の部分に、第１電圧を印加するサブステップか、第３を印加するサブステップか、０Ｖを印加するサブステップを含んでもよい。【００１８】
また、第２表示ステップは、第２色の部分に、第２電圧を印加するサブステップか、０Ｖを印加するサブステップを含んでもよい。【００１９】
また、第２表示ステップは、第３色の部分に、第１電圧を印加するサブステップか、第２電圧を印加するサブステップか、第３電圧を印加するサブステップか、０Ｖを印加するサブステップを含み、少なくとも第２電圧を印加するサブステップを有し、第３電圧を印加するサブステップで終了するか、あるいは第３電圧を印加するサブステップ後に０Ｖを印加するサブステップで終了してもよい。【００２０】
また、第２表示ステップにおいて、第３色の部分に第３電圧を印加するサブステップのうち最後のサブステップと、第１色の部分に第１電圧を印加するサブステップと、第２色の部分に第２電圧を印加するサブステップとを、同時に行ってもよい。【００２１】
また、第１表示ステップにおいて、第３色の部分に第３電圧を印加するサブステップのうち最後のサブステップと、第１色の部分に第１電圧を印加するサブステップと、第２色の部分に第２電圧を印加するサブステップとを、同時に行ってもよい。【００２２】
本発明の他の局面は、対向する面にそれぞれ電極を有する一対の基板と、一対の基板の間に配置されるメモリー性を有する表示媒体と、表示媒体に駆動電圧を印加する駆動手段とを備え、表示媒体は、内部に帯電粒子が封入され、駆動手段によって印加された電圧によって帯電粒子が移動することによって表示を行い、帯電粒子は少なくとも３種類の粒子からなり、第１粒子は第１色であり第１電圧を印加することで第１色表示がなされ、第２粒子は第２色であり第１電圧とは極性が異なる第２電圧を印加することで第２色表示がなされ、第３粒子は第３色であり第１電圧と極性が同じで絶対値が第１電圧より小さい第３電圧を印加することで第３色表示がなされる表示装置の駆動方法であって、第１画像が表示された状態から第２画像に書き換える際に、第２画像を一旦表示させる第１表示ステップと、第１表示ステップの後に、第２画像のうち第１色と第２色の部分の色はそのまま維持し、第３色の部分のみを色変化させた後に再度第３色にする第２表示ステップとを含む駆動方法である。
【発明の効果】
【００２３】
本発明によれば、少なくとも３種類の粒子を有する電気泳動表示装置において、早期に３色表示を行う効果と、表示が難しい第３色の色ムラを低減する効果と、第３色部分を目立たせる効果とが得られる。これにより、視認者が見易いハッキリとした画像や、画像の作成者の意図した画像を表示することが可能となる。
【図面の簡単な説明】
【００２４】
【図１Ａ】図１Ａは、本発明の一実施形態に係る電気泳動表示装置の平面図である。
【図１Ｂ】図１Ｂは、本発明の一実施形態に係る画素の電気的な構成を示す等価回路図である。
【図２Ａ】図２Ａは、本発明の一実施形態に係る電気泳動表示装置の平面図である。
【図２Ｂ】図２Ｂは、本発明の一実施形態に係る画素の電気的な構成を示す等価回路図である。
【図３】図３は、本発明の一実施形態に係る電気泳動表示装置の断面図である。
【図４】図４は、本発明の一実施形態に係る駆動波形の一例を示す図である。
【図５】図５は、本発明の一実施形態に係る駆動波形の一例を示す図である。
【図６】図６は、本発明の一実施形態に係る電気泳動表示装置の断面図である。
【図７】図７は、本発明の一実施形態に係る電気泳動表示装置の断面図である。
【図８】図８は、本発明の一実施形態に係る電気泳動表示装置の断面図である。
【図９】図９は、本発明の一実施形態に係る電気泳動表示装置の断面図である。
【図１０】図１０は、本発明の一実施形態に係る駆動波形の一例を示す図である。
【図１１】図１１は、本発明の一実施形態に係る駆動波形の一例を示す図である。
【発明を実施するための形態】
【００２５】
以下図面により本実施形態に係る電気泳動表示装置及びその駆動方法について説明する。なお、以下の実施形態では、本発明に係る電気泳動表示装置の一例として、アクティブマトリクス駆動方式の電気泳動表示装置を挙げて説明するが、セグメント方式等の構成を用いることも可能である。
【００２６】
図１Ａは、本実施形態に係る電気泳動表示装置１の表示部周辺の構成図である。図１Ａにおいて、本実施形態に係る電気泳動表示装置１は、アクティブマトリクス駆動方式の電気泳動表示装置であり、表示部２と、コントローラ１０と、走査線駆動回路６０と、データ線駆動回路７０とを備えている。コントローラ１０はフレキシブルケーブル１４を介して、表示部と繋がっており、コントローラ１０はＣＰＵ１１、メモリー１２、電源回路１００等を有している。図１Ｂにおいて、画素２０は、画素スイッチング用トランジスタ２４と、画素電極２１と、対向電極２２と、表示媒体３５と、保持容量２７とを備えている。対向電極２２は共通電位線９０に接続されており、補保持容量２７はキャパシタ電位線８０に接続されている。
【００２７】
図１Ｂはｉ行ｊ列目の画素２０の例を示している。表示部２には、ｍ行×ｎ列分の画素２０がマトリクス状（二次元平面的）に配列されており、ｍ本の走査線４０（Ｙ１、Ｙ２、…、Ｙｉ、…、Ｙｍ）と、ｎ本のデータ線５０（Ｘ１、Ｘ２、…、Ｘｊ、…、Ｘｎ）とが互いに交差するように設けられている。具体的には、ｍ本の走査線４０は、行方向（即ち、図１Ｂの左右方向）にそれぞれ延在し、ｎ本のデータ線５０は、列方向（即ち、図１Ｂの上下方向）にそれぞれ延在している。ｍ本の走査線４０とｎ本のデータ線５０との交差に対応して画素２０が配置されている。
【００２８】
コントローラ１０は、ＣＰＵ１１、メモリー１２、電源回路１００、等を用いて、走査線駆動回路６０、データ線駆動回路７０の動作を制御する。コントローラ１０は、例えば、クロック信号、スタートパルス等のタイミング信号を各回路に供給する。
【００２９】
走査線駆動回路６０は、コントローラ１０による制御下で、所定のフレーム期間中に、走査線Ｙ１、Ｙ２、…、Ｙｍの各々に走査信号をパルス的に順次供給する。
【００３０】
データ線駆動回路７０は、コントローラ１０による制御下で、データ線Ｘ１、Ｘ２、…、Ｘｎにデータ電位を供給する。データ電位は、基準電位ＧＮＤ（例えば０Ｖ）、高電位Ｖ１（例えば＋１５Ｖ）又は低電位Ｖ２（例えば−１５Ｖ）、第３粒子用の電位Ｖ３（例えば＋４Ｖ）などをとる。
【００３１】
コントローラ１０は、共通電位線９０に共通電位Ｖｃｏｍ（本実施形態では、Ｖｇｆと同一の電位）を供給する。コントローラ１０にはメモリー１２を有するため、書き換え前の表示を記憶しておくことが可能となる。本発明では、書き換え前の画像と、新規の書き換え画像を比較し、最適な駆動波形で書き込みを行うことが出来る。
【００３２】
画素スイッチング用トランジスタ２４は、例えばＮ型トランジスタで構成されているがＰ型でも良い。画素スイッチング用トランジスタ２４は、そのゲートが走査線４０に電気的に接続されており、そのソースがデータ線５０に電気的に接続されており、そのドレインが画素電極２１及び保持容量２７に電気的に接続されている。画素スイッチング用トランジスタ２４は、データ線駆動回路７０からデータ線５０を介して供給されるデータ電位を、走査線駆動回路６０ら走査線４０を介してパルス的に供給される走査信号に応じたタイミングで、画素電極２１及び保持容量２７に出力する。
【００３３】
画素電極２１には、データ線駆動回路７０からデータ線５０及び画素スイッチング用トランジスタ２４を介して、データ電位が供給される。画素電極２１は、表示媒体３５を介して対向電極２２と互いに対向するように配置されている。
【００３４】
対向電極２２は、共通電位Ｖｃｏｍが供給される共通電位線９０に電気的に接続されている。
【００３５】
表示媒体３５は例えば、マイクロカップ２３に帯電粒子３０と表示溶媒３４を充填し、シーリング材２５で封止している。本例ではマイクロカップ方式の表示装置の例を示しているが、マイクロカプセル式など別の方式の表示媒体３５を用いることも可能である。帯電粒子３０は電界印加時のみ移動し、電界非印加時は移動せずその表示状態を維持する。すなわち表示のメモリー性を有する。
【００３６】
保持容量２７は、誘電体膜を介して対向配置された一対の電極からなり、一方の電極が、画素電極２１及び画素スイッチング用トランジスタ２４に電気的に接続され、他方の電極がキャパシタ電位線８０（一定電位）に電気的に接続されている。保持容量２７によってデータ電位を一定期間だけ維持することができる。
【００３７】
図２Ａはセグメントタイプの電気泳動表示装置１の例である。セグメントタイプの場合、画素電極２１の形状と同じ表示が行われる。図２Ｂはセグメントタイプの配線イメージである。対向電極２２と画素電極２１に表示媒体３５が挟持されている。書き換え電圧が各セグメントに分かれた画素電極２１に印加された場合に、表示色が変化する。
【００３８】
次に、本実施形態に係る電気泳動表示装置の表示部の具体的な構成について、図３を参照して説明する。
【００３９】
図３は、本実施形態に係る電気泳動表示装置１の表示部２の部分断面図である。図３において、画素２０は、基板２８と対向基板２９との間に表示媒体３５が挟持される構成となっている。なお、本実施形態では、対向基板２９側に画像を表示することを前提として説明する。
【００４０】
基板２８は、例えばガラスやプラスチック等からなる基板である。基板２８上には、ここでは図示を省略するが、図１Ｂを参照して前述した画素スイッチング用トランジスタ２４、保持容量２７、走査線４０、データ線５０、共通電位線９０等が作り込まれた積層構造が形成されている。この積層構造の上層側に複数の画素電極２１がマトリクス状に設けられている。
【００４１】
対向基板２９は、例えばガラスやプラスチック等からなる透明な基板である。対向基板２９における基板２８との対向面上には、対向電極２２が複数の画素電極２１と対向してベタ状に形成されている。対向電極２２は、例えばインジウム・スズ酸化物（ＩＴＯ）、インジウム・亜鉛酸化物（ＩＺＯ）等の透明導電材料から形成されている。
【００４２】
表示媒体３５はマイクロカップ２３に、第１粒子３１、第２粒子３２、第３粒子３３等の態で印粒子３０を表示溶媒３４に分散させシーリング材２５で封止したものである。マイクロカップ２３は、例えば、熱硬化性樹脂や、ＵＶ硬化性樹脂などのプラスチック等から形成される。シーリング材２５は、例えば、熱硬化性樹脂や、ＵＶ硬化性樹脂などのプラスチック等から形成される。
【００４３】
表示溶媒３４としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒には、界面活性剤が配合されてもよい。
【００４４】
白色粒子は、例えば、二酸化チタン、亜鉛華（酸化亜鉛）、三酸化アンチモン、酸化アルミ、酸化ジルコン、硫酸バリウム、硫酸鉛等の白色顔料からなる粒子（高分子或いはコロイド）が挙げられる。
【００４５】
黒色粒子は、例えば、マンガンフェライトブラックスピネル、銅クロマイトブラックスピネルアニリンブラック、カーボンブラック等の黒色顔料からなる粒子（高分子或いはコロイド）が挙げられる。
【００４６】
第３タイプの顔料粒子は、例えば、赤色（又はレッド）、緑色（又はグリーン）、青色（又はブルー）、マゼンタ、シアン又はイエロー（又は黄色）等の色でもよい。このタイプの粒子のための顔料は、Ｃ．Ｉ．ピグメントＰＲ２５４、ＰＲ１２２、ＰＲ１４９、ＰＧ３６、ＰＧ５８、ＰＧ７、ＰＢ２８、ＰＢ１５：３、ＰＹ１３８、ＰＹ１５０、ＰＹ１５５又はＰＹ２０を含み得るが、これらに限定されるものではない。
【００４７】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００４８】
本実施形態では、第１粒子は第１色であり第１電圧を印加することで第１色表示がなされ、第２粒子は第２色であり第１電圧とは極性が異なる第２電圧を印加することで第２色表示がなされ、第３粒子は第３色であり第１電圧と極性が同じで絶対値が第１電圧より小さい第３電圧を印加することで第３色表示がなされ、第１画像から第２画像に書き換える際に、第２画像を一旦完成させる第１表示ステップと、第１表示ステップの後に、第２画像のうち第１色と第２色の部分の色はそのまま維持し、第３色の部分のみを色変化させた後に再度第３色にする第２表示ステップと、を有する。
【００４９】
表示部２は、図３に示すように、対向する面にそれぞれ画素電極２１と対向電極２２とを有する一対の基板２８と対向基板２９との間に帯電粒子３０が封入され、この帯電粒子の移動によって表示を行うメモリー性を有する表示媒体３５を有する。また、画素電極２１・対向電極２２間に駆動電圧を印加する、図３に図示しない駆動手段を有する。帯電粒子３０は少なくとも３種類の粒子３１、３２、３３からなり、第１粒子３１は第１色であり第１電圧を印加することで第１色表示がなされ、第２粒子３２は第２色であり第１電圧とは異なる第２電圧を印加することで第２色表示がなされ、第３粒子３３は第３色であり第１電圧と極性が同じで絶対値が第１電圧より小さい第３電圧を印加することで第３色表示がなされる。
【００５０】
ここで第１電圧、第２電圧、第３電圧は、画素電極２１・対向電極２２間に印加される電圧であり、対向電極２２に０Ｖを印加した場合には画素電極２１に印加する電圧に等しい。
【００５１】
第１色表示するのに適する第１電圧Ｖ１と、第２色表示するのに適する第２電圧Ｖ２と第３色表示するのに適する第３電圧Ｖ３は、第１粒子と第３粒子が正帯電、第２粒子が負帯電の場合、Ｖ１＞Ｖ３＞０＞Ｖ２である。第１粒子と第３粒子が負帯電、第２粒子が正帯電の場合、Ｖ２＞０＞Ｖ３＞Ｖ１である。
【００５２】
第１色と第２色は極性が逆で最適駆動電圧が大きいため、印加電圧の極限色となっている。即ち、第１電圧Ｖ１と同極性で第１電圧Ｖ１より絶対値が大きい電圧を印加しても第１色になり、第２電圧Ｖ２と同極性で第２電圧Ｖ２より絶対値が大きい電圧を印加しても第２色になる。よって、これらの色状態は、安定的である。第１電圧Ｖ１の印加時間としては、１０ｍｓ以上１０００ｍｓ以下が適しており、第２電圧Ｖ２の印加時間としては、１０ｍｓ以上１０００ｍｓ以下が適している。
【００５３】
それに対し、第３色は最適駆動電圧Ｖ３の絶対値が第１電圧Ｖ１および第２電圧Ｖ２の絶対値より小さいため、印加電圧の極限色ではない。第３電圧Ｖ３と同極性で第３電圧Ｖ３よりやや絶対値が大きい電圧を印加すると、第３色に第１色が混じった状態となる。即ち、第３粒子の制御は第１粒子との競合になるため、第３色の制御は第１色や第２色の制御よりも原理的に難しい。第３電圧Ｖ３の印加時間としては、１００ｍｓ以上１００００ｍｓ以下が適している。
【００５４】
上記の理由のため、第３色は第１色や第２色に比べて色ムラが大きくなり易い。特に第１画像で第１色、第２色、第３色であった各部分を、次に表示させる第２画像で同じ明度、彩度の第３色にするのは難しい。駆動波形をより詳細に（より複雑に）組み立てれば第３色の精密な制御も可能であるが、書込に時間がかかることになってしまう。それでは、情報の提供が遅れることになる。
【００５５】
本実施形態では、以降に説明するように、第１表示ステップで短い書込波形を用いて第２画像を書込むことで、情報をすばやく提供することができる。そして第２画像の第３色部分のみを色変化させた後に再度第３色にすることで、第３色部分の過去の履歴の影響を低減し、第３色部分の色ムラを低減することができる。
【００５６】
なお、第１粒子、第２粒子、第３粒子の色は互いに異なるが、とくに色は限定されない。しかし、一例として、第１粒子を黒、第２粒子を白、第３粒子を赤の各色とすることができる。
【００５７】
書替には、前画面（第１画像）データに依らず次画面（第２画像）データのみによって波形を決定する方法と、前画面データと次画面データの両方から波形を決定する方法とがある。
【００５８】
以下、図４を参照して具体的な波形を説明する。図４は前画面データを用いない駆動波形の例であり、図４の（ａ）は第１粒子（黒色）を書き込む（表示させる）場合の例である。ここでＶ１は第１粒子（黒色）の書き込み電圧（第１電圧）である。また、Ｖ２は第２粒子（白色）の書き込み電圧（第２電圧）であり、Ｖ３は第３粒子（赤色）の書き込み電圧（第３電圧）である。印加電圧としては、例えばＶ１としては＋１５Ｖ、Ｖ２としては−１５Ｖ、Ｖ３としては、４Ｖ等が使用される。
【００５９】
まず、第１表示ステップでは前画像の消去（リフレッシュ）を行うために例えば、Ｖ２、Ｖ１、Ｖ２の順でパルスを印加する。その後にＶ１を印加することで第１粒子（黒色）の書き込みを行っている。あるいは、図８の（ａ）のようにＶ２印加後にＶ１印加する波形でも良い。図６の（ａ）は第１粒子書き込みの際の断面模式図である。Ｖ１で書き込みを行った場合は、電気泳動速度の大きい第１粒子が表示面に現れ、速度の小さい第３粒子は第１粒子の下となる。また、逆極性の第２粒子は非表示面に移動する。
【００６０】
図４の（ｂ）は第２粒子（白色）の書き込みの場合である。第２粒子（白色）は第１粒子と極性が逆である為、図４の（ａ）とは逆向きのパルスとなっている。あるいは図８（ｂ）のようにＶ１印加後にＶ２印加する波形でも良い。図６の（ｂ）は第２粒子書き込みの際の断面模式図である。第２粒子が表示面に現れ、電気泳動速度の大きい第１粒子が非表示面に集まり、第３粒子はその上（マイクロカップの中ほど）に位置する。
【００６１】
図４の（ｃ）は第３粒子（赤色）の書き込みの場合である。前述したように、第３粒子の書き込みには時間がかかるため、リフレッシュ（この例ではＶ２の印加）の時間を少なくしてＶ３の印加に、多くの時間を充てている。図６の（ｃ）は第３粒子を書き込んだ際の断面模式図である。第１粒子は第３粒子の書き込み電圧であるＶ３では殆ど移動しない。第３粒子については、徐々に移動するものの移動速度が小さい為、表示面まで来ていない状態である。第２粒子については駆動波形の前半のリフレッシュによって表示面側に来ていたので、非表示面に移動する途中である。この状態は観測者にはやや白みがかった赤と観察される。
【００６２】
続いて、第２表示ステップにて第３色の部分のみを色変化させた後に再度第３色にする。一旦、第１色もしくは第２色を表示し、再度第３色を表示することで第３粒子の表示ムラが低減され、赤彩度が向上する。第３粒子と速度の違う第１粒子もしくは第２粒子による表示を一旦行うことで、第１粒子、第２粒子と第３粒子とを分離し、表示ムラを低減することが可能となる。同時に、表示面に現れる第３粒子の量も増えるため、赤彩度も向上する。早期に３色表示を行う効果が、第１表示ステップで得られ、第３色の色ムラ改善が第２表示ステップの結果得られ、第３色を目立たせる効果が第２表示ステップ実行中に得られる。
【００６３】
具体例を図４の（ｃ’）で示す。図４の（ｃ’）は第２色を表示した後、再度第３粒子の書き込みを行った場合の例である。図４の（ｃ）に示す第１表示ステップの後で、第２表示ステップとして図４の（ｃ）の波形と同様の書き込みを２回繰り返す。あるいは図９の（ｃ’）、（ｃ’’）のパターンでも良い。このように書き込みを行うことで、第３粒子（赤色）の彩度が向上し、ムラが低減する。図６の（ｃ’）はこの場合の断面模式図である。Ｖ２、Ｖ３の印加を繰り返すことよって第３粒子が表示面側に上がってくる。
【００６４】
一方、第２画像の第１色部分には、図４の（ａ’）、図９の（ａ）、図１０に示すように第２表示ステップでは０Ｖまたは第１電圧Ｖ１または第３電圧Ｖ３のいずれかが印加されるだけであり、Ｖ２が印加されることはない。これにより、第１色部分はずっと第１色に保たれる。なお、第１色表示状態で第３電圧Ｖ３を印加しても、表示面近傍を第１粒子が占めているため第３色が表示されることはない。
【００６５】
第２画像の第２色部分には、図４の（ｂ’）、図９の（ｂ）のように第２表示ステップでは０Ｖまたは第２電圧Ｖ２のいずれかが印加されるだけであり、Ｖ１やＶ３が印加されることはない。これにより、第２色部分はずっと第２色に保たれる。
【００６６】
図５は前画面データと次画面データの両方を用いる駆動波形の例であり、図５の（ａａ）は前画面データが第１色、次画面データが第１色の画素に印加される波形である。最初に前画面データの第１色を打ち消すために例えば第２電圧Ｖ２が印加される。そしてＶ２とＶ１を含む波形が続き、第１表示ステップはＶ１で終了する。第２表示ステップは０ＶまたはＶ１またはＶ３で構成される。そして望ましくは、Ｖ１で終了する。第２表示ステップは繰り返してもよく、図５の（ａａ）では２回繰り返している。
【００６７】
図５の（ａｂ）は前画面データが第１色、次画面データが第２色の画素に印加される波形である。最初に前画面データの第１色を打ち消すために例えば第２電圧Ｖ２が印加される。そしてＶ１とＶ２を含む波形が続き、第１表示ステップはＶ２で終了する。第２表示ステップは０ＶまたはＶ２で構成される。そして望ましくは、Ｖ２で終了する。第２表示ステップは繰り返してもよく、図５の（ａｂ）では２回繰り返している。図５の（ａｃ）は前画面データが第１色、次画面データが第３色の画素に印加される波形である。最初に前画面データの第１色を打ち消すために例えば第２電圧Ｖ２が印加される。そして少なくともＶ３を含む波形が続き、第１表示ステップはＶ３で終了する。第２表示ステップは０Ｖ、Ｖ１、Ｖ２、またはＶ３で構成され、少なくともＶ１またはＶ２と、Ｖ３を含む。そして、Ｖ３で終了する。第２表示ステップは繰り返してもよく、図５の（ａｃ）では２回繰り返している。
【００６８】
図５の（ｂａ）は前画面データが第２色、次画面データが第１色の画素に印加される波形である。最初に前画面データの第２色を打ち消すために例えば第１電圧Ｖ１が印加される。そしてＶ２とＶ１を含む波形が続き、第１表示ステップはＶ１で終了する。第２表示ステップは０ＶまたはＶ１またはＶ３で構成される。そして望ましくは、Ｖ１で終了する。第２表示ステップは繰り返してもよく、図５の（ｂａ）では２回繰り返している。あるいは図８の（ａ）の波形でも良い。
【００６９】
図５の（ｂｂ）は前画面データが第２色、次画面データが第２色の画素に印加される波形である。最初に前画面データの第２色を打ち消すために例えば第１電圧Ｖ１が印加される。そしてＶ１とＶ２を含む波形が続き、第１表示ステップはＶ２で終了する。第２表示ステップは０ＶまたはＶ２で構成される。そして望ましくは、Ｖ２で終了する。第２表示ステップは繰り返してもよく、図５の（ｂｂ）では２回繰り返している。あるいは図８の（ｂ）の波形でも良い。
【００７０】
図５の（ｂｃ）は前画面データが第２色、次画面データが第３色の画素に印加される波形である。最初に前画面データの第２色を打ち消すために例えば第１電圧Ｖ１が印加される。そして少なくともＶ３を含む波形が続き、第１表示ステップはＶ３で終了する。第２表示ステップは０Ｖ、Ｖ１、Ｖ２、またはＶ３で構成され、少なくともＶ１またはＶ２と、Ｖ３を含む。そして、Ｖ３で終了する。第２表示ステップは繰り返してもよく、図５の（ｂｃ）では２回繰り返している。
【００７１】
図５の（ｃａ）は前画面データが第３色、次画面データが第１色の画素に印加される波形である。ここでは最初に前画面データの第３色を打ち消すための電圧印加を行っていないが、例えば短時間だけＶ２を印加してもよい。そしてＶ２とＶ１を含む波形が続き、第１表示ステップはＶ１で終了する。第２表示ステップは０ＶまたはＶ１またはＶ３で構成される。そして望ましくは、Ｖ１で終了する。第２表示ステップは繰り返してもよく、図５の（ｃａ）では２回繰り返している。
【００７２】
図５の（ｃｂ）は前画面データが第３色、次画面データが第２色の画素に印加される波形である。ここでは最初に前画面データの第３色を打ち消すための電圧印加を行っていないが、例えば短時間だけＶ２を印加してもよい。そしてＶ１とＶ２を含む波形が続き、第１表示ステップはＶ２で終了する。第２表示ステップは０ＶまたはＶ２で構成される。そして望ましくは、Ｖ２で終了する。第２表示ステップは繰り返してもよく、図５の（ｃｂ）では２回繰り返している。
【００７３】
図５の（ｃｃ）は前画面データが第３色、次画面データが第３色の画素に印加される波形である。ここでは最初に前画面データの第３色を打ち消すための電圧印加を行っていないが、例えば短時間だけＶ２を印加してもよい。そして少なくともＶ３を含む波形が続き、第１表示ステップはＶ３で終了する。第２表示ステップは０Ｖ、Ｖ１、Ｖ２、またはＶ３で構成され、少なくともＶ１またはＶ２と、Ｖ３を含む。そして、Ｖ３で終了する。第２表示ステップは繰り返してもよく、図５の（ｃｃ）では２回繰り返している。
【００７４】
上記第２表示ステップにおいて、第２画像の第３色の部分は、少なくとも第１色または第２色を経由してから再度第３色に至るようにすることにより、以下の効果が得られる。
【００７５】
例えば上述の図４の（ｃ’）では第２色を経由してから第３色に至る。次に示す図４の（Ｃ’’）では第１色、第２色を経由してから第３色に至る。第１色または第２色を経由することにより、第３粒子を効果的に第１粒子、第２粒子と分離し、表示ムラ低減、彩度向上を行うことが出来る。図４（ｃ’’）に示す例では、第１表示ステップで第１電圧、第２電圧、第３電圧と印加した後、第２表示ステップで第１表示ステップと似た波形の書込みを２回繰り返す。これにより、第１画像の影響が小さくなり、第３色の色ムラが解消される。
【００７６】
また、上記第１表示ステップにおいて、第１色の部分は少なくとも第２色を経由してから第１色に至り、第２色の部分は少なくとも第１色を経由してから第２色に至り、第３色の部分は少なくとも第１色または第２色を経由してから第３色に至るようにすることにより、以下の効果が得られる。
【００７７】
例えば、図４の（ａ）の様に、第１色の部分は逆極性の第２色を経由して第１色になり、図４の（ｂ）のように、第２色の部分は逆極性の第１色を経由して第２色になる。逆極性の書き込みを経由することで、粒子が大きく移動し、粒子同士の凝集を防ぎ、前画像の残像を低減することが出来る。
【００７８】
また、例えば、第１色は白または黒であり、第２色は黒または白のうち第１色と異なる色であり、第３色は赤とすると、第１表示ステップで白黒赤表示を高速で行うことが可能であり、第２表示ステップでムラの少ない赤表示を行うことが可能となる。また、第３色である赤が、第２表示ステップにおいて他の色を経由してから再び赤に戻ることで、点滅のような動作となり、より注意を引き付けることができる。
【００７９】
また、このような制御により、第２表示ステップ後の第３色の色ムラを、第１表示ステップ後の第３色領域の色ムラよりも小さくすることができる前述のように、第１表示ステップでは表示速度を優先するので、制御が難しい第３色の色ムラが、第１色や第２色に比べて大きい。この第３色の書き換えを第２表示ステップで行うことで、第３色の色ムラを低減できる。
【００８０】
また、上記第２表示ステップを複数回繰り返すことによって、第３色の色ムラがより低減される。例えば図４の（ｃ’）や図４の（ｃ’’）に示す例では第２表示ステップを２回繰り返すことで、１回のみ行う場合に比べて色ムラをさらに低減できる。
【００８１】
また、電極が、第１基板上に形成された画素電極と、第２基板上に形成された対向電極であり、上記駆動電圧を印加する方法が、対向電極に０Ｖを印加し、画素電極に第１電圧、第２電圧、第３電圧、または０Ｖを印加するものであり、第１表示ステップは、画素電極に第１電圧、第２電圧、第３電圧、または０Ｖを印加する複数のサブステップの組合せによるものであり、第２表示ステップも、画素電極に第１電圧、第２電圧、第３電圧、または０Ｖを印加する複数のサブステップの組合せによるものとすることができる。
【００８２】
図２Ａのように、画素電極２１が直接駆動装置に接続されている場合、図２Ｂの対向電極２２の電圧を０Ｖとした時、画素電極２１にＶ１を印加することで対向電極２２側から見た表示を第１色にできる。画素電極２１にＶ２を印加することで対向電極２２側から見た表示を第２色にできる。ある初期状態下で画素電極２１にＶ３を印加することで対向電極２２側から見た表示を第３色にできる。ここである初期状態とは、少なくとも表示が第１色以外の場合である。
【００８３】
また、第１表示ステップおよび第２表示ステップにて第１電圧、第２電圧、第３電圧、または０Ｖを印加することで、所望の粒子を効果的に表示面に移動することが可能となる。順極性の電圧のみを用いて駆動した場合に比べて、第３粒子を選択的に表示面に移動させることが可能となる。図７の（ａ）は第１電圧のみを用いて駆動した場合の例である。第３粒子が前面に現れているが、同極性の第１粒子も前面に来てしまっている。図７の（ｂ）はその後に第２電圧を加えた場合である。第２電圧の印加によって第１粒子、第３粒子の両方が非表示面側へ移動するが、第１粒子の方が移動速度が大きいので、相対的に第３粒子が表示面側に残る形となる。図７の（ｃ）はもう一度第３電圧をかけた場合の例である。電圧印加前に第３粒子が上にある為、第３粒子がそのまま表示面へ来ることが可能となる。第１粒子は第３電圧ではあまり動かず表示面までは上がってこられない。
【００８４】
また、０Ｖ印加の場合は図示しないが、駆動が一旦停止するので、電気泳動粒子の慣性や充填されている溶媒の対流によって粒子がわずかに移動するのみとなる。
【００８５】
また、電極が、第１基板上に形成された薄膜トランジスタアレイに接続された画素電極と、第２基板上に形成された対向電極であり、薄膜トランジスタアレイは複数のゲート配線と複数のソース配線の交点付近に形成されており、駆動電圧を印加する方法が、対向電極に所定の電圧を印加し、ソース配線に第１電圧、第２電圧、第３電圧、または０Ｖを印加した状態でゲート配線に選択電圧を印加することで、画素電極に第１電圧、第２電圧、第３電圧、または０Ｖを書き込むものであり、第１表示ステップは、画素電極に第１電圧、第２電圧、第３電圧、または０Ｖを印加する複数のサブステップの組合せによるものであり、第２表示ステップも、画素電極に第１電圧、第２電圧、第３電圧、または０Ｖを印加する複数のサブステップの組合せによるものとすることができる。
【００８６】
図１Ａおよび図１Ｂに、薄膜トランジスタ（ＴＦＴ）アレイに接続された画素電極２１を有する場合を示す。この場合、走査線ドライバ６０によって、ゲート配線に高電位ＶＧＨまたは低電位ＶＧＬが印加される。ＴＦＴがｎチャネルの場合、ＶＧＬが非選択電位であり、ＶＧＨが選択電位である。ＴＦＴがｐチャネルの場合、ＶＧＨが非選択電位であり、ＶＧＬが選択電位である。例えば、ＶＧＨ＝＋２０Ｖ、ＶＧＬ＝−２０Ｖである。
【００８７】
同時に、データ線ドライバ７０によって、ソース配線にデータ電位として、第１電圧Ｖ１、第２電圧Ｖ２、第３電圧Ｖ３、または０Ｖが印加される。印加されたデータ電位は、選択された１行のＴＦＴがオン状態となって、画素電極２１に書き込まれる。選択行とデータ電位を順々に変えることで、全画面の画素電極２１にデータ電位を書込む。これは線順次駆動と呼ばれる。
【００８８】
ただし、書込まれた電位は、ゲート配線が非選択電位となりＴＦＴがオフ状態になる時にゲートフィードスルーＶｇｆだけ変化する。即ち、Ｖ１、Ｖ２、Ｖ３、０Ｖを書込まれた画素は、Ｖ１＋Ｖｇｆ、Ｖ２＋Ｖｇｆ、Ｖ３＋Ｖｇｆ、Ｖｇｆになる。Ｖｇｆは、式１で与えられ、ＴＦＴがｎチャネルの場合負であり、ＴＦＴがｐチャネルの場合正である。
Ｖｇｆ＝ΔＶｇ・Ｃｇｄ／（Ｃｓ＋Ｃｐ＋Ｃｇｄ）    …（式１）
ただしΔＶｇはＴＦＴがオンからオフになる時のゲート電圧変化であり、ｎチャネルではＶＧＬ−ＶＧＨ、ｐチャネルではＶＧＨ−ＶＧＬ、ＣｇｄはＴＦＴのゲート・ドレイン間容量、Ｃｓは画素電極に接続された蓄積容量、Ｃｐは表示媒体の容量成分である。
【００８９】
対向電極２２の電位を所定値（ゲートフィードスルー電圧Ｖｇｆ）に合わせることで、画素電極２１・対向電極２２間の電圧を、Ｖ１、Ｖ２、Ｖ３、または０Ｖにすることができる。
【００９０】
薄膜トランジスタアレイを用いることによってドットマトリックスの表示を行うことが可能となる。個々のドットマトリックスの画素に対して、第１電圧、第２電圧、第３電圧、または０Ｖを印加する複数のサブステップの組合せによる表示を行うことで、それぞれの画素に対して所望の表示を行うことが可能となる。
【００９１】
また、上記第２表示ステップにおいて、第１色の部分には、第１電圧を印加するサブステップか、第３電圧を印加するサブステップか、０Ｖを印加するサブステップを含んでもよい。これにより、第２表示ステップにおいて、第１色の上書きを行うことも可能であり、０Ｖ印加を維持することも可能である。また、第３電圧で書き込みを行った場合も、第１粒子が既に対向電極近傍を占めているために、第３粒子が表示面に来ることは無く、第１色の表示を維持することが可能となる。
【００９２】
また、上記第２表示ステップにおいて、第２色の部分には、第２電圧を印加するサブステップか、０Ｖを印加するサブステップを含んでもよい。これにより、第２表示ステップにおいて第２色の上書きを行うことも可能であり、０Ｖ印加を維持することも可能である。これにより第２色の表示を維持することが可能となる。
【００９３】
また、上記第２表示ステップにおいて、第３色の部分には、第１電圧を印加するサブステップか、第２電圧を印加するサブステップか、第３電圧を印加するサブステップか、０Ｖを印加するサブステップを含み、少なくとも第２電圧を印加するサブステップを有し、第３電圧を印加するサブステップで終了するか、あるいは第３電圧を印加するサブステップ後に０Ｖを印加するサブステップで終了してもよい。これにより、第２表示ステップにおいて、第３色の部分で、少なくとも第２色を経由するため、粒子の分離がより効果的に行える。また、第２表示ステップ中に第３色部分が点滅するような動作を実現することが出来、人の目を引くことができる。第３電圧印加後はそのまま終了しても良いし０Ｖ印加を行っても良い。
【００９４】
また、上記第２表示ステップにおいて、第３色の部分に第３電圧を印加するサブステップのうち最後のサブステップと、第１色の部分に第１電圧を印加するサブステップと、第２色の部分に第２電圧を印加するサブステップとを、同時に行ってもよい。これにより、上記表示装置であれば、第２表示ステップにおいて、第１色の部分に第１電圧を印加するサブステップと、第２色の部分に第２電圧を印加するサブステップと、第３色の部分に第３電圧を印加するサブステップとが同時に行われるため、書込み後の表示が隣の画素に影響して特定の色のみが広がることが無く、第２表示ステップにおいて書込み線幅等が安定した表示を行うことが可能となる。
【００９５】
また、上記第１表示ステップにおいて、第３色の部分に第３電圧を印加するサブステップのうち最後のサブステップと、第１色の部分に第１電圧を印加するサブステップと、第２色の部分に第２電圧を印加するサブステップとを、同時に行ってもよい。これにより、上記表示装置であれば、第１表示ステップにおいて、第１色の部分に第１電圧を印加するサブステップと、第２色の部分に第２電圧を印加するサブステップと、第３色の部分に第３電圧を印加するサブステップとが同時に行われるため、書込み後の表示が隣の画素に影響して特定の色のみが広がることが無く、第１表示ステップにおいて書込み線幅等が安定した表示を行うことが可能となる。
【実施例】
【００９６】
以下に本発明の実施例を示すが、これに限定されるわけではない。【００９７】
＜第１表示ステップ＞
＜第１色の書き込み＞
図８の（ａ）のように、第１電圧Ｖ１（＋１５Ｖ）を５００ｍｓ印加すると、第１粒子と第３粒子が対向電極側へ、第２粒子が画素電極側に移動するが第１粒子の方が第３粒子より早く移動するので第１色になる。但し、電荷バランスの為、Ｖ２（−１５Ｖ）を５００ｍｓ印加した後にＶ１を印加するのが良い。
＜第２色の書き込み＞
図８の（ｂ）のように、第２電圧Ｖ２（−１５Ｖ）を５００ｍｓ印加すると、第２粒子が対向電極側へ、第１、第３粒子が画素電極側に移動するので第２色になる。但し、電荷バランスの為、Ｖ１（＋１５Ｖ）を５００ｍｓ印加した後にＶ２を印加するのが良い。
＜第３色の書き込み１＞
初めは前画像にて第２色を表示していた場合である。第２色を表示していた場合は、表示装置の断面模式図は図６の（ｂ）の様になっている。図８の（ｂｃ）のように、第３粒子の書き込み電圧であるＶ３（＋４Ｖ）を４４００ｍｓ印加することで、第２粒子は非表示面へ移動し、第３粒子は表示面へ移動していく。第１粒子は、あまり上面へは移動してこない。その際に、これまで説明してきたように、前記Ｖ３（＋４Ｖ）を４４００ｍｓ印加する途中、具体的には２２００ｍｓ経過後に逆極性の電圧Ｖ２（−１５Ｖ）を５０ｍｓ印加することで、第１粒子を下げながら、第３粒子を表示面側に移動させることが可能となる。粒子が密集していた場合などでは、第３粒子に囲まれた第１粒子や第２粒子が第３粒子とともに表示面に運ばれることもあるが、逆極性の電圧をかけることで、粒子がほぐれこれを抑制することが可能となる。
＜第３色の書き込み２＞
次は、前画像が第１色の表示の場合である。この場合の、表示装置の断面模式図は図６の（ａ）となる。図８の（ａｃ）のように、この際の駆動としては、２００ｍｓのＶ１（＋１５Ｖ）と２００ｍｓのＶ２（−１５Ｖ）の電圧印加を行った後、Ｖ３（＋４Ｖ）を４０５０ｍｓ印加する。第１粒子を第３粒子より非表示面へ移動しなければならないため、前記短期間（２００ｍｓ）の逆極性の電圧Ｖ２（−１５Ｖ）で速度の速い第１粒子を非表示面へ移動させる必要があった。
＜第３粒子の書き込み３＞
続いては、前画像が第１粒子と第２粒子の混色の場合である。第１粒子、第２粒子がそれぞれ黒色および白色の場合はグレーと観察される。この場合においては、図８の（ｄｃ）のように、Ｖ２（−１５Ｖ）を２５０ｍｓ印加後に第３粒子の書き込み電圧であるＶ３（＋４Ｖ）を４２００ｍｓ印加し、第３粒子を表示面に移動させる。【００９８】
＜第２表示ステップ＞
＜第１色の書き込み＞
第２表示ステップでは第１色の色変化を行わない。したがって、図９の（ａ）のように、Ｖ２（−１５Ｖ）を印加せず、０Ｖを３０００ｍｓ、Ｖ１（＋１５Ｖ）を１００ｍｓ印加した。
＜第２色の書き込み＞
第２表示ステップでは第２色の色変化を行わない。したがって、図９の（ｂ）のように、Ｖ１、Ｖ３を印加せず、０Ｖを３０００ｍｓ、Ｖ２（−１５Ｖ）を１００ｍｓ印加した。
＜第３色の書き込み＞
第２表示ステップでは第３色を第１色にしてから、第２色にし、それから第３色にする。図９（ｃ’’）のように、Ｖ１（＋１５Ｖ）を１００ｍｓを印加してからＶ２（−１５Ｖ）を１００ｍｓを印加し、その後Ｖ３（＋４Ｖ）を２９００ｍｓ印加する。【００９９】
＜評価＞
図１１の（ａ）の第１画像表示状態から上記の駆動を行った。第１表示ステップ後の表示状態は図１１の（ｂ）であるが赤部分（「特価」の部分）の色ムラはΔＬ＊＝５．９Δａ＊＝３．４であった。【０１００】
続く第２表示ステップにて表示は図１１の（ｃ）、図１１の（ｄ）、図１１の（ｅ）となり、赤部分が点滅のような動作となった。そして図１１の（ｅ）での赤部分（「特価」の部分）の色ムラはΔＬ＊＝１．２Δａ＊＝１．７に低減された。但し、ΔＬ＊、Δａ＊は赤部分を５点測定した際の、最大値から最小値を引いたものである。【０１０１】
上記のように、少なくとも３種類の粒子を有する電気泳動表示装置を、視認者が見易いハッキリとした画像や、画像の作成者の意図した画像で表示することが可能となる電気泳動表示装置、及び電気泳動表示パネルの駆動方法を提供することができる。
【産業上の利用可能性】
【０１０２】
本発明は、３色表示可能な電気泳動表示装置として有用である。特に、情報を伝えるための掲示板や、電子棚札等に有用である。
【符号の説明】
【０１０３】
１      電気泳動表示装置
２      表示部
１０    コントローラ（電気泳動表示装置１の駆動装置）
１１    ＣＰＵ
１２    メモリー
１４    フレキシブルケーブル
２０    画素
２１    画素電極
２２    対向電極
２３    マイクロカップ
２４    画素スイッチング用トランジスタ
２５    シーリング材
２７    保持容量
２８    基板
２９    対向基板
３０    帯電粒子
３１    第１粒子
３２    第２粒子
３３    第３粒子
３４    表示溶媒
３５    表示媒体
４０    走査線
５０    データ線
６０    走査線駆動回路
７０    データ線駆動回路
８０    キャパシタ電位線
９０    共通電位線
【図１Ａ】
2018128040.tif 000003
【図１Ｂ】
2018128040.tif 000004
【図２Ａ】
2018128040.tif 000005
【図２Ｂ】
2018128040.tif 000006
【図３】
2018128040.tif 000007
【図４】
2018128040.tif 000008
【図５】
2018128040.tif 000009
【図６】
2018128040.tif 000010
【図７】
2018128040.tif 000011
【図８】
2018128040.tif 000012
【図９】
2018128040.tif 000013
【図１０】
2018128040.tif 000014
【図１１】
2018128040.tif 000015
【国際調査報告】
2018128040.tif 000016
2018128040.tif 000017